(57)【要約】【課題】保持可能な微生物検査袋の採取口の位置の制限を緩和できるとともに容易に清掃することができる微生物検査袋用スタンドを提供する。【解決手段】本発明による微生物検査袋用スタンド２０は、微生物検査袋１０が載置される載置台２１と、載置台２１から起立し、載置台２１に載置される微生物検査袋１０の第１の面１１を支持する第１袋支持具２２と、載置台２１から起立し、載置台２１に載置される微生物検査袋１０の第２の面１２を支持する第２袋支持具２３と、を備えている。第１袋支持具２２と第２袋支持具２３は、第１袋支持具２２の一方の側縁２２ｂおよびこの側縁２２ｂに対応する第２袋支持具２３の側縁２３ｂの下端から上端にわたって、第１袋支持具２２と第２袋支持具２３との間の収容空間２４を開放するように形成されている。【選択図】図３
2015102509.tif 000002
【特許請求の範囲】
【請求項１】
第１の面と前記第１の面とは反対側に設けられた第２の面とを含む微生物検査袋を保持するための微生物検査袋用スタンドであって、
前記微生物検査袋が載置される載置台と、
前記載置台から起立し、当該載置台に載置される前記微生物検査袋の前記第１の面を支持するとともに一対の側縁を有する第１袋支持具と、
前記載置台から起立し、当該載置台に載置される前記微生物検査袋の前記第２の面を支持するとともに一対の側縁を有する第２袋支持具と、を備え、
前記第１袋支持具と前記第２袋支持具との間に、前記載置台に載置される前記微生物検査袋を収容する収容空間が形成され、前記第１袋支持具と前記第２袋支持具は、前記第１袋支持具の一方の前記側縁および当該側縁に対応する前記第２袋支持具の前記側縁の下端から上端にわたって前記収容空間を開放するように形成されていることを特徴とする微生物検査袋用スタンド。
【請求項２】
前記第１袋支持具および前記第２袋支持具のうちの少なくとも一方に設けられ、前記載置台に載置される前記微生物検査袋に貼り付けられる粘着部材を更に備えたことを特徴とする請求項１に記載の微生物検査袋用スタンド。
【請求項３】
前記第１袋支持具および前記第２袋支持具は、幅方向に少なくとも部分的に互いにずれて配置されていることを特徴とする請求項１または２に記載の微生物検査袋用スタンド。
【請求項４】
前記第１袋支持具および前記第２袋支持具は、幅方向に互いに重なるように配置されていることを特徴とする請求項１または２に記載の微生物検査袋用スタンド。
【請求項５】
前記第１袋支持具の上側部分の幅は、下側部分の幅より小さいことを特徴とする請求項１乃至４のいずれかに記載の微生物検査袋用スタンド。
【請求項６】
前記第１袋支持具に、前記微生物検査袋の採取口を露出させる露出開口部が設けられていることを特徴とする請求項１乃至５のいずれかに記載の微生物検査袋用スタンド。
【請求項７】
前記第１袋支持具と前記第２袋支持具は、前記第１袋支持具の他方の前記側縁および当該側縁に対応する前記第２袋支持具の前記側縁の下端から上端にわたって前記収容空間を開放するように形成されていることを特徴とする請求項１乃至６のいずれかに記載の微生物検査袋用スタンド。
【請求項８】
前記第１袋支持具の他方の側縁と、当該側縁に対応する前記第２袋支持具の前記側縁とを互いに連結する連結板を更に備えたことを特徴とする請求項１乃至６のいずれかに記載の微生物検査袋用スタンド。
【請求項９】
前記第１袋支持具および前記第２袋支持具のうちの少なくとも一方は、前記載置台側に設けられた静止板部と、前記静止板部より上方に設けられ、当該静止板部に対して回動可能に設けられた回動板部と、を有していることを特徴とする請求項１乃至７のいずれかに記載の微生物検査袋用スタンド。
【請求項１０】
前記載置台より下方に設けられ、当該載置台を回転可能に支持する静止台を更に備え、
前記載置台、前記第１袋支持具および前記第２袋支持具は、前記静止台に対して一体に回転可能であることを特徴とする請求項１乃至９のいずれかに記載の微生物検査袋用スタンド。
【発明の詳細な説明】
【技術分野】
【０００１】
本発明は、微生物検査袋を保持するための微生物検査袋用スタンドに関する。
【背景技術】
【０００２】
従来より、食品等の固形物に含まれる微生物を検査する際に試料を調製するために使用される微生物検査袋（ホモジナイズ袋）が知られている。
【０００３】
このような微生物検査袋を用いて微生物検査を行う場合、まず、生魚、生肉や野菜等の検体が、滅菌された生理食塩水等の希釈液とともに、予め滅菌されている微生物検査袋に、その上縁開口部（投入口）を介して投入される。続いて、微生物検査袋の上縁開口部を密封してホモジナイザ（ストマッカー）にセットし、検体を揉むようにして検体中の微生物を希釈液中に懸濁させ、検体が希釈液とともに均質化される。このことにより、微生物検査を行うための検液（試料）が調製される。その後、調製された検液の上澄みを、微生物検査袋の採取口を介してピペット等で採取し、採取された検液を用いて、微生物数の測定などの微生物検査が行われる。
【０００４】
調製された検液を採取する際、微生物検査袋は、例えば特許文献１に示すようなスタンドの収容空間に収容されて、起立した状態で保持される。このことにより、検液採取の作業性を向上させている。
【先行技術文献】
【特許文献】
【０００５】
【特許文献１】実用新案登録第３１６００５８号公報
【発明の概要】
【発明が解決しようとする課題】
【０００６】
しかしながら、特許文献１に示すスタンドでは、保持可能な微生物検査袋の採取口の位置によっては検液の採取が困難になる場合がある。すなわち、採取口が微生物検査袋の側縁に形成されている場合には検液を比較的容易に採取することが可能となるが、採取口が微生物検査袋の側縁以外の位置、例えば微生物検査袋の表面の中央部に形成されている場合、採取口がスタンドの側面パネルまたは仕切りパネルで覆われて、検液の採取が困難になるおそれがある。すなわち、保持可能な微生物検査袋の採取口の位置が制限されるという問題がある。
【０００７】
また、特許文献１に示すスタンドでは、微生物検査袋が収容される収容空間がパネルによって囲まれている。このことにより、収容空間部内が懸濁液などで汚染された場合にスタンドの清掃が困難になっている。
【０００８】
本発明はこのような点を考慮してなされたものであり、保持可能な微生物検査袋の採取口の位置の制限を緩和できるとともに容易に清掃することができる微生物検査袋用スタンドを提供することを目的とする。
【課題を解決するための手段】
【０００９】
本発明は、第１の面と前記第１の面とは反対側に設けられた第２の面とを含む微生物検査袋を保持するための微生物検査袋用スタンドであって、前記微生物検査袋が載置される載置台と、前記載置台から起立し、当該載置台に載置される前記微生物検査袋の前記第１の面を支持するとともに一対の側縁を有する第１袋支持具と、前記載置台から起立し、当該載置台に載置される前記微生物検査袋の前記第２の面を支持するとともに一対の側縁を有する第２袋支持具と、を備え、前記第１袋支持具と前記第２袋支持具との間に、前記載置台に載置される前記微生物検査袋を収容する収容空間が形成され、前記第１袋支持具と前記第２袋支持具は、前記第１袋支持具の一方の前記側縁および当該側縁に対応する前記第２袋支持具の前記側縁の下端から上端にわたって前記収容空間を開放するように形成されていることを特徴とする微生物検査袋用スタンドを提供する。
【００１０】
なお、上述した微生物検査袋用スタンドにおいて、前記第１袋支持具および前記第２袋支持具のうちの少なくとも一方に設けられ、前記載置台に載置される前記微生物検査袋に貼り付けられる粘着部材を更に備える、ようにしてもよい。
【００１１】
また、上述した微生物検査袋用スタンドにおいて、前記第１袋支持具および前記第２袋支持具は、幅方向に少なくとも部分的に互いにずれて配置されている、ようにしてもよい。
【００１２】
また、上述した微生物検査袋用スタンドにおいて、前記第１袋支持具および前記第２袋支持具は、幅方向に互いに重なるように配置されている、ようにしてもよい。
【００１３】
また、上述した微生物検査袋用スタンドにおいて、前記第１袋支持具の上側部分の幅は、下側部分の幅より小さくなる、ようにしてもよい。
【００１４】
また、上述した微生物検査袋用スタンドにおいて、前記第１袋支持具に、前記微生物検査袋の採取口を露出させる露出開口部が設けられている、ようにしてもよい。
【００１５】
また、上述した微生物検査袋用スタンドにおいて、前記第１袋支持具と前記第２袋支持具は、前記第１袋支持具の他方の前記側縁および当該側縁に対応する前記第２袋支持具の前記側縁の下端から上端にわたって前記収容空間を開放するように形成されている、ようにしてもよい。
【００１６】
また、上述した微生物検査袋用スタンドにおいて、前記第１袋支持具の他方の側縁と、当該側縁に対応する前記第２袋支持具の前記側縁とを互いに連結する連結板を更に備える、ようにしてもよい。
【００１７】
また、上述した微生物検査袋用スタンドにおいて、前記第１袋支持具および前記第２袋支持具のうちの少なくとも一方は、前記載置台側に設けられた静止板部と、前記静止板部より上方に設けられ、当該静止板部に対して回動可能に設けられた回動板部と、を有している、ようにしてもよい。
【００１８】
また、上述した微生物検査袋用スタンドにおいて、前記載置台より下方に設けられ、当該載置台を回転可能に支持する静止台を更に備え、前記載置台、前記第１袋支持具および前記第２袋支持具は、前記静止台に対して一体に回転可能である、ようにしてもよい。
【発明の効果】
【００１９】
本発明によれば、保持可能な微生物検査袋の採取口の位置の制限を緩和できるとともに容易に清掃することができる。
【図面の簡単な説明】
【００２０】
【図１】図１は、本発明の実施の形態において、ホモジナイザの一例を示す概略図である。
【図２】図２は、図１のホモジナイザで使用される微生物検査袋の一例を示す図である。
【図３】図３は、本発明の実施の形態における微生物検査袋用スタンドを示す斜視図である。
【図４】図４は、図３の微生物検査袋用スタンドを示す上面図である。
【図５】図５は、図４の変形例（変形例１）を示す上面図である。
【図６】図６は、図３の変形例（変形例２）を示す斜視図である。
【図７】図７は、図３の他の変形例（変形例３）を示す斜視図である。
【図８】図８は、図３の他の変形例（変形例４）を示す斜視図である。
【図９】図９は、図３の他の変形例（変形例５）を示す斜視図である。
【図１０】図１０は、図３の他の変形例（変形例６）を示す斜視図である。
【発明を実施するための形態】
【００２１】
以下、図面を参照して本発明の実施の形態について説明する。なお、本明細書に添付する図面においては、図示と理解のしやすさの便宜上、適宜縮尺及び縦横の寸法比等を、実物のそれらから変更し誇張してある。
【００２２】
また、本明細書において用いる、形状や幾何学的条件並びにそれらの程度を特定する、例えば、「平行」、「垂直」、「同一」等の用語や長さや角度の値等については、厳密な意味に縛られることなく、同様の機能を期待し得る程度の範囲を含めて解釈することとする。
【００２３】
図１乃至図４を用いて、本実施の形態における微生物検査袋用スタンドについて説明する。ここで、微生物検査袋（ホモジナイズ袋）は、食品等の固形物（検体）に含まれる微生物を検査する際に、ホモジナイザを用いて検体と希釈液とから当該検体に含まれる微生物を検査するための試料（検液）を調製するために使用されるものである。微生物検査袋用スタンドは、この調整された検液を採取する際に検液採取の作業性を向上させるために、微生物検査袋を保持するためのものである。
【００２４】
まず、ホモジナイザ（ストマッカー）１について説明する。図１に示すようにホモジナイザ１は、前側開口部２ａを有する筐体２と、筐体２の内部に設けられた収容部３と、収容部３に設けられた一対のパドル（押圧部材）４と、を備えている。このうち、収容部３には、前側開口部２ａから、検体および希釈液が封入された微生物検査袋１０が挿入されて、当該微生物検査袋１０が収容部３に収容されるようになっている。一対のパドル４は、前後方向に個別に移動自在に構成されており、これら一対のパドル４が前後方向に往復移動することにより、収容部３に収容された微生物検査袋１０が押圧される。また、パドル４の後方には、パドル４を駆動する駆動部（図示せず）が設けられている。
【００２５】
筐体２の前部には蓋５が設けられており、蓋５を開けることにより、微生物検査袋１０を、前側開口部２ａを介して収容部３に挿入し、または収容部３から前側開口部２ａを介して取り出すようになっている。パドル４を駆動してホモジナイズする際には、蓋５は閉められ、閉められた蓋５と筐体２とによって微生物検査袋１０が保持される。微生物検査袋１０は、パドル４により押圧される際には蓋５によって支持されるようになっている。
【００２６】
次に、微生物検査袋１０について説明する。図２に示すように、微生物検査袋１０は、表面（第１の面）１１と、表面１１とは反対側に設けられた裏面（第２の面）１２と、一対の側縁１３、１３と、を含んでいる。具体的には、微生物検査袋１０は、表面１１の側の樹脂フィルム１０ａと裏面１２の側の樹脂フィルム１０ｂによって形成されており、微生物検査袋１０の側縁１３、１３と下縁１４とがヒートシールされている。上縁１５はヒートシールされることなく上縁開口部１６が形成されており、この上縁開口部１６を介して検体と希釈液が微生物検査袋１０内に投入される。なお、樹脂フィルム１０ａ、１０ｂの材料としては、例えば、強化ポリエチレンを用いることが好適である。また、微生物検査袋１０は、フィルタ部材１７により区画された２つの内部空間を有していてもよい。この場合、例えば、一方の内部空間に検体と希釈液が投入され、ホモジナイズされて調製された検液を他方の内部空間から採取することができ、採取する検液に検体の破片等が混入することを防止できる。
【００２７】
ここで、本実施の形態における微生物検査袋１０は、上述した形態に限られることはない。例えば、一対の側縁のうちの一方の側縁のみがヒートシールされ、他方の側縁がヒートシールされていない微生物検査袋であってもよい。このような微生物検査袋は、例えば、１枚の樹脂フィルムを折り曲げるようにして、互いに重なる２辺でヒートシールすることにより形成することができる。この場合、下縁１４はヒートシールされる。このことから、ヒートシールされていない側縁とは、下縁１４の両端部のうちヒートシールされた側縁１３の側とは反対側の端部から、当該下縁１４に垂直に上縁１５に向う部分とすることができる。また、例えば、一対の側縁１３、１３がいずれもヒートシールされていない微生物検査袋であってもよい。このような微生物検査袋１０は、例えば、筒状に成型された樹脂フィルムを用いることにより形成することができる。この場合、筒状の樹脂フィルムの一対の開口縁部のうちの一方をヒートシールすることにより、下縁１４がヒートシールされた微生物検査袋を得ることができる。当該微生物検査袋の一対の側縁とは、下縁１４の両端部から、当該下縁１４に垂直に上縁１５に向う部分とすることができる。
【００２８】
微生物検査袋１０には、調製された検液を採取する際にピペットが挿入される採取口１８が設けられる。この採取口１８は、予めピペットが挿入可能に形成された部材を樹脂フィルム１０ａまたは１０ｂにヒートシールして設けてもよく、あるいは、図２に示すように、検液を採取する際に切込み線１９に沿って樹脂フィルム１０ａまたは１０ｂの一部を切り込むことによって形成されるようにしてもよい。採取口１８は、検液を採取可能であれば微生物検査袋１０の任意の位置に配置され得るが、例えば、図２に示すように微生物検査袋１０の表面１１または裏面１２の中央部に形成されるようにすることができる。
【００２９】
次に、上述した微生物検査袋１０が検液採取時に保持される微生物検査袋用スタンド２０について説明する。
【００３０】
図３および図４に示すように、微生物検査袋用スタンド２０は、微生物検査袋１０が載置される載置台２１と、載置台２１から起立した第１袋支持板（第１袋支持具）２２および第２袋支持板（第２袋支持具）２３と、を備えている。このうち、第１袋支持板２２は、微生物検査袋１０の表面１１を支持し、第２袋支持板２３は、微生物検査袋１０の裏面１２を支持する。一対の袋支持板２２、２３の間には、微生物検査袋１０が収容される収容空間２４が形成される。
【００３１】
これら一対の袋支持板２２、２３は互いに平行に配置されている。各袋支持板２２、２３は、その板面の法線方向（板厚方向）からみたときに矩形状に形成されている。ここで、板面とは、袋支持板を全体的かつ大局的に見た場合において袋支持板の平面方向と一致する面のことを指す。
【００３２】
各袋支持板２２、２３の上縁２２ａ、２３ａは、載置台２１に載置される微生物検査袋１０の上縁開口部１６より下方に配置されることが好適である。すなわち、各袋支持板２２、２３の高さが、載置台２１に載置される微生物検査袋１０の高さより低いことが好適である。このことにより、検液の採取が終了して微生物検査袋１０を微生物検査袋用スタンド２０から移動させる場合、微生物検査袋１０の上部を容易に把持することができ、作業性を向上させることができる。また、この場合、袋支持板２２、２３から、微生物検査袋１０の上縁開口部１６を介して内部に異物が混入することを防止することもできる。
【００３３】
図３および図４に示すように、第１袋支持板２２および第２袋支持板２３は、全体的に、幅方向（図３に示す横方向、左右方向）に互いにずれて配置されている。言い換えると、一対の袋支持板２２、２３は、その法線方向からみたときに互いに重ならないように配置されている。各袋支持板２２、２３の幅は、微生物検査袋１０の幅の半分程度であることが好適である。なお、図３および図４においては、第１袋支持板２２の幅と第２袋支持板２３の幅が同一である例を示しているが、これに限らず、各袋支持板２２、２３の幅は互いに異なっていてもよい。
【００３４】
第１袋支持板２２は、第１側縁（図３に示す左側縁）２２ｂと、第２側縁（図３に示す右側縁）２２ｃと、を有している。同様に、第２袋支持板２３は、第１側縁（図３に示す左側縁）２３ｂと、第２側縁（図３に示す右側縁）２３ｃと、を有している。そして、第１袋支持板２２と第２袋支持板２３は、第１袋支持板２２の第１側縁２２ｂおよび当該第１側縁２２ｂに対応する第２袋支持板２３の第１側縁２３ｂの下端から上端にわたって収容空間２４を開放するように形成されている。同様に、第１袋支持板２２と第２袋支持板２３は、第１袋支持板２２の第２側縁２２ｃおよび当該第２側縁２２ｃに対応する第２袋支持板２３の第２側縁２３ｃの下端から上端にわたって収容空間２４を開放するように形成されている。言い換えると、第１袋支持板２２と第２袋支持板２３との間の収容空間２４が、袋支持板２２、２３の第１側縁（例えば、図３に示す左側縁）２２ｂ、２３ｂの側において全体的に開放されているとともに、第２側縁（例えば、図３に示す右側縁）２２ｃ、２３ｃの側において全体的に開放されている。
【００３５】
各袋支持板２２、２３の材料としては、例えば、ステンレス鋼（ＳＵＳ）を用いることが好適である。
【００３６】
第１袋支持板２２には粘着部材２５が設けられている。粘着部材２５は、載置台２１に載置された微生物検査袋１０の表面１１に貼り付けられる。このような粘着部材２５の材料としては、例えば、ウレタンエラストマーを好適に用いることができる。なお、図３に示す形態においては、第２袋支持板２３には、粘着部材２５は設けられていない。
【００３７】
次に、このような構成からなる本実施の形態の作用について説明する。
【００３８】
ホモジナイザ１によって微生物検査袋１０内の検体と希釈液とから調製された検液を採取する場合、まず、清浄な環境を形成するクリーンベンチ内において、当該微生物検査袋１０が微生物検査袋用スタンド２０に保持される。
【００３９】
この場合、まず、微生物検査袋１０が、一対の袋支持板２２、２３の間に形成された収容空間２４に収容され、載置台２１に載置される。この際、微生物検査袋１０は、一対の袋支持板２２、２３によって支持される。このことにより、微生物検査袋１０が倒れたり傾いたりして、微生物検査袋１０内の検液がこぼれることを防止できる。また、第１袋支持板２２の第１側縁２２ｂと第２袋支持板２３の第１側縁２３ｂの下端から上端にわたって収容空間２４が開放されるとともに、第１袋支持板２２の第２側縁２２ｃと第２袋支持板２３の第２側縁２３ｃの下端から上端にわたって当該収容空間２４が開放されている。このことにより、微生物検査袋１０の両方の側縁１３が開放され、微生物検査袋１０の幅方向位置を調整して、微生物検査袋１０を採取口１８が袋支持板２２、２３で覆われることなく露出される位置に配置することができる。このことにより、微生物検査袋１０内の検液を採取する際に、ピペットを採取口１８に容易に挿入することが可能となる。
【００４０】
続いて、第１袋支持板２２に設けられた粘着部材２５が、収容された微生物検査袋１０の表面１１に貼り付けられる。このことにより、微生物検査袋１０が第１袋支持板２２に固定されて載置台２１上で移動することを防止できる。このようにして、微生物検査袋１０が、微生物検査袋用スタンド２０に安定して保持される。
【００４１】
微生物検査袋１０が微生物検査袋用スタンド２０に保持された後、微生物検査袋１０内の検液が採取される。この場合、ピペットを微生物検査袋１０の採取口１８に挿入して、検液を採取することができる。この間、微生物検査袋１０は、微生物検査袋用スタンド２０に安定して保持されるため、作業者が微生物検査袋１０を保持したり支えたりすることが不要となり、検液を容易に採取することができる。
【００４２】
検液の採取が終了した場合、微生物検査袋１０の上部を把持して、微生物検査袋１０を微生物検査袋用スタンド２０から他の場所へ移動させることができる。この際、袋支持板２２、２３の上縁２２ａ、２３ａが、収容空間２４に収容されていた微生物検査袋１０の上縁開口部１６より下方に配置されているため、微生物検査袋１０の上部を容易に把持することができる。
【００４３】
このように本実施の形態によれば、第１袋支持板２２の第１側縁２２ｂと第２袋支持板２３の第１側縁２３ｂの下端から上端にわたって収容空間２４が開放されているとともに、第１袋支持板２２の第２側縁２２ｃと第２袋支持板２３の第２側縁２３ｃの下端から上端にわたって当該収容空間２４が開放されている。このことにより、載置台２１に載置される微生物検査袋１０の両方の側縁１３が開放され、微生物検査袋１０の幅方向位置を調整して、微生物検査袋１０の採取口１８を露出させて微生物検査袋１０を保持することができる。すなわち、任意の位置に採取口１８が配置された微生物検査袋１０を、検液採取の作業性が良好な位置に配置して保持することができる。すなわち、採取口１８が微生物検査袋１８の側縁に形成されている場合に限られず、採取口１８が微生物検査袋１０の側縁以外の位置、例えば微生物検査袋１０の表面の中央部に形成されている場合などにおいても、検液採取の作業性が良好な位置に配置して保持することができる。このため、微生物検査袋用スタンド２０に保持可能な微生物検査袋１０の採取口１８の位置の制限を緩和することができ、微生物検査袋用スタンド２０の汎用性を高めることができる。
【００４４】
また、本実施の形態によれば、上述したように、微生物検査袋１０の幅方向位置を調整することができるため、任意の大きさ（とりわけ幅寸法）を有する微生物検査袋１０を、検液採取の作業性が良好な位置に配置して保持することができる。このため、微生物検査袋用スタンド２０に保持可能な微生物検査袋１０の大きさの制限を緩和することができ、微生物検査袋用スタンド２０の汎用性を高めることができる。
【００４５】
また、本実施の形態によれば、収容空間２４が、第１袋支持板２２および第２袋支持板２３の側縁２２ｂ、２２ｃ、２３ｂ、２３ｃの下端から上端にわたって開放されていることにより、収容空間２４内の載置台２１や袋支持板２２、２３が検液で汚染された場合であっても、収容空間２４の外側から容易に清掃することができる。このため、微生物検査袋用スタンド２０を清潔に維持することができる。
【００４６】
また、本実施の形態によれば、第１袋支持板２２に粘着部材２５が設けられている。このことにより、微生物検査袋１０が第１袋支持板２２に固定されて載置台２１上で移動することを防止でき、微生物検査袋１０をより一層安定して保持することができる。このため、検液採取の作業性をより一層向上させることができる。
【００４７】
また、本実施の形態によれば、第１袋支持板２２および第２袋支持板２３が、幅方向に互いにずれて配置されている。このことにより、載置台２１に載置される微生物検査袋１０の幅方向位置をより一層広い範囲で調整することができる。このため、微生物検査袋用スタンド２０に保持可能な微生物検査袋１０の採取口１８の位置の制限をより一層緩和することができるとともに、微生物検査袋用スタンド２０に保持可能な微生物検査袋１０の大きさの制限をより一層緩和することができる。
【００４８】
以上、本発明の実施の形態について詳細に説明してきたが、本発明による微生物検査袋用スタンドは、上記実施の形態に何ら限定されるものではなく、本発明の趣旨を逸脱しない範囲において種々の変更が可能である。
【００４９】
例えば、上述した本実施の形態においては、微生物検査袋用スタンド２０に保持される微生物検査袋１０に、採取口１８が設けられている例について説明した。しかしながら、このことに限られることはなく、採取口１８が設けられていない微生物検査袋１０であっても、本実施の形態における微生物検査袋用スタンド２０に好適に保持することができる。この場合、検液の採取は、微生物検査袋１０の上縁開口部１６から行うことができる。
【００５０】
また、上述した本実施の形態においては、第１袋支持板２２に粘着部材２５が設けられ、第２袋支持板２３には粘着部材２５が設けられていない例について説明した。しかしながら、このことに限られることはなく、第１袋支持板２２および第２袋支持板２３のいずれにも、粘着部材２５が設けられていてもよい。この場合、微生物検査袋１０をより一層安定して保持することができる。あるいは、微生物検査袋１０を保持可能であれば、第１袋支持板２２および第２袋支持板２３のいずれにも粘着部材２５が設けられていなくてもよい。
【００５１】
また、上述した本実施の形態においては、第１袋支持板２２および第２袋支持板２３が、全体的に、幅方向に互いにずれて配置されている例について説明した。しかしながら、このことに限られることはない。例えば、図５に示すように、第１袋支持板２２の幅と第２袋支持板２３の幅が同一であり、第１袋支持板２２および第２袋支持板２３が、全体的に、その幅方向に互いに重なるように配置されていてもよい（変形例１）。あるいは、一対の袋支持板２２、２３が、部分的に幅方向に互いにずれて、部分的に互いに重なり合うようにしてもよい。いずれの場合においても、載置台２１に載置される微生物検査袋１０の幅方向位置を調整して、微生物検査袋１０の採取口１８を露出させて微生物検査袋１０を保持することができ、微生物検査袋用スタンド２０に保持可能な微生物検査袋１０の採取口１８の位置の制限を緩和することができる。また、収容空間２４内の載置台２１や袋支持板２２、２３が検液で汚染された場合であっても、収容空間２４の外側から容易に清掃することができる。
【００５２】
また、上述した本実施の形態においては、各袋支持板２２、２３が、その板面の法線方向からみたときに矩形状に形成されている例について説明した。しかしながら、このことに限られることはなく、例えば、図６に示すような形態としてもよい（変形例２）。
【００５３】
すなわち、図６に示す形態においては、袋支持板２２、２３の上側部分の幅は、下側部分の幅より小さくなっている。より具体的には、袋支持板２２、２３は、第１の幅を有する下側部分３０と、前記下側部分３０より上方に設けられ、前記第１の幅より小さい第２の幅を有する上側部分３１と、をそれぞれ有している。より具体的には、各袋支持板２２、２３は、その板面の法線方向からみたときにＬ字状に形成されている。
【００５４】
この場合、微生物検査袋１０の位置を、採取口１８が露出可能な位置に容易に調整することができ、微生物検査袋用スタンド２０に保持可能な微生物検査袋１０の採取口１８の位置の制限をより一層緩和することができる。
【００５５】
また、図７に示すように、第１袋支持板２２および第２袋支持板２３の少なくとも一方に、微生物検査袋１０の採取口１８を露出させるための露出開口部３２が設けられていてもよい（変形例３）。このことにより、採取口１８を容易に露出させることができる。なお、この場合、例えば、袋支持板２２、２３を、枠状に形成することが好適であり、このことにより、露出開口部３２を大きく形成することができる。この場合、載置台２１に載置される微生物検査袋１０の位置をより一層広い範囲で調整することができる。なお、露出開口部３２は、袋支持板２２、２３の両方に設けられていてもよい。
【００５６】
また、上述した本実施の形態においては、袋支持板２２、２３の第２側縁２２ｃ、２３ｃの下端から上端にわたって収容空間２４が開放されている例について説明した。しかしながら、このことに限られることはなく、図８に示すように、第１袋支持板２２および第２袋支持板２３が、全体的に、その幅方向に互いに重なるように配置されて、第１袋支持板２２の第２側縁２２ｃと、第２袋支持板２３の第２側縁２３ｃとが、連結板３３によって互いに連結されていてもよい（変形例４）。この場合、微生物検査袋１０の他方の側縁１３（図８に示す右側縁）を、連結板３３によって支持することができ、微生物検査袋１０を安定して保持することができる。なお、この連結板３３は、第２側縁２２ｃ、２３ｃの下端から上端にわたって部分的に設けられていてもよく、あるいは、図８に示すように、下端から上端にわたって全体的に設けられて、載置台２１から起立するようにしてもよい。この場合、微生物検査袋１０をより一層安定して保持することができる。また、図８においては、各袋支持板２２、２３が、Ｌ字状に形成されている例を示しているが、このことに限られることはなく、図３に示すような矩形状に形成されていてもよい。
【００５７】
また、上述した本実施の形態においては、各袋支持具が袋支持板２２、２３により構成され、各袋支持板２２、２３が、その板面の法線方向からみたときに矩形状に形成されている例について説明した。しかしながら、このことに限られることはなく、例えば、図９に示すような形態としてもよい（変形例５）。
【００５８】
すなわち、図９に示す形態においては、一方の袋支持具（例えば、第１袋支持具３４）は、載置台２１の側に設けられた静止板部３５と、静止板部３５より上方に設けられ、静止板部３５に対して回動軸３６ａを中心に回動可能に設けられた回動板部３６と、を有している。静止板部３５および回動板部３６はいずれも、その板面の法線方向からみたときに矩形状に形成されており、このうち静止板部３５は、長辺方向が横方向を向くように形成され、回動板部３６は、長辺方向が上下方向を向くように形成されている。
【００５９】
図９に示す形態においては、微生物検査袋１０を単に保持する場合には、回動板部３６を図９の実線で示すように、長辺方向が上下方向を向くように位置付けておくことが好適である。このことにより、微生物検査袋１０を安定して保持することが可能となる。一方、検液を採取する場合には、図９の二点鎖線で示すように、回動板部３６を回動させて、その長辺方向が横方向を向くように位置付けることが好適である。このことにより、微生物検査袋１０の上側部分を大きく露出させて、採取口１８を容易に露出させることができる。なお、第１袋支持具３４の上縁は、第１袋支持板２２と同様に、載置台２１に載置される微生物検査袋１０の上縁開口部１６より下方に配置されることが好適である。また、静止板部３５および回動板部３６は、第１袋支持板２２と同様の材料を用いることができる。さらに、第２袋支持具は、第２袋支持板２３により構成されてもよく、あるいは、図９に示す第１袋支持具３４と同様に構成してもよい。
【００６０】
さらに、上述した本実施の形態において、載置台２１が静止台３７上に設けられて静止台３７に対して回転可能に構成されていてもよい（変形例６）。すなわち、図１０に示すように、載置台２１の下方に静止台３７が設けられ、静止台３７が載置台２１を回転可能に支持していてもよい。この場合、載置台２１、第１袋支持板２２および第２袋支持板２３は、静止台３７に対して一体に回転可能になっている。このことにより、収容空間２４に対して微生物検査袋１０を出し入れし易い方向に載置台２１を回転させることができ、微生物検査袋１０の出し入れを容易に行うことが可能となる。なお、この変形例６においては、図１０に示すように、一対の袋支持板２２、２３が、全体的に、その幅方向に、互いに重なるように配置されて、一対の袋支持板２２、２３の第２側縁２２ｃ、２３ｃが、連結板３３によって互いに連結されていることが好適である。また、図１０においては、各袋支持板２２、２３が、Ｌ字状に形成されている例を示しているが、このことに限られることはなく、図３に示すような矩形状に形成されていてもよい。
【符号の説明】
【００６１】
１０    微生物検査袋
１１    表面
１２    裏面
１３    側縁
１６    上縁開口部
２０    微生物検査袋用スタンド
２１    載置台
２２    第１袋支持板
２２ｂ  第１側縁
２２ｃ  第２側縁
２３    第２袋支持板
２３ｂ  第１側縁
２３ｃ  第２側縁
２４    収容空間
２５    粘着部材
３０    下側部分
３１    上側部分
３２    露出開口部
３３    連結板
３４    第１袋支持具
３５    静止板部
３６    回動板部
３７    静止台
【図１】
2015102509.tif 000003
【図２】
2015102509.tif 000004
【図３】
2015102509.tif 000005
【図４】
2015102509.tif 000006
【図５】
2015102509.tif 000007
【図６】
2015102509.tif 000008
【図７】
2015102509.tif 000009
【図８】
2015102509.tif 000010
【図９】
2015102509.tif 000011
【図１０】
2015102509.tif 000012